(57)【要約】【課題】渦巻型蛍光ランプを適用して光色のむらおよび明るさのむらを生ずることなく調色を行うことができる照明器具を提供する。【解決手段】照明器具１０は、器具本体１１と、器具本体１１に保持される蛍光ランプ１３と、を備え、蛍光ランプ１３が二重螺旋状渦巻型蛍光ランプであり、複数の可視発光ダイオード１４を蛍光ランプ１３の外形に沿うように並べて配置した。【選択図】図１
2010186709.tif 000002
【特許請求の範囲】
【請求項１】
器具本体と、
前記器具本体に保持される蛍光ランプと、
を備える照明器具であって、
前記蛍光ランプが二重螺旋状渦巻型蛍光ランプであり、
複数の可視発光ダイオードを前記蛍光ランプの外形に沿うように並べて配置したことを特徴とする照明器具。
【請求項２】
前記複数の可視発光ダイオードは、前記蛍光ランプの中心から点対称に一方側と他方側とでそれぞれ異なる色の複数を前記蛍光ランプの外形に沿うように並べて配置したことを特徴とする請求項１に記載した照明器具。
【発明の詳細な説明】
【技術分野】
【０００１】
本発明は、例えば天井面に取り付けられる照明器具に関し、特に蛍光ランプとして渦巻型蛍光ランプを用いた照明器具に関する。
【背景技術】
【０００２】
本発明者らは、放電灯と複数の可視発光ダイオードとを照明用光源として組み合わせて器具本体に配置した照明器具を既に提案している（例えば、特許文献１参照）。
【先行技術文献】
【特許文献】
【０００３】
【特許文献１】特開２００３−２７２４１１号公報（図１、請求項１）
【発明の概要】
【発明が解決しようとする課題】
【０００４】
ところが、上記特許文献１に開示された照明器具において、複数の小型の可視発光ダイオードを環状蛍光ランプの中央部に分散して配置した場合、放電灯と可視発光ダイオードとが離れて配置される。
従って、光色にむらを生ずる虞がある。
【０００５】
また、上記特許文献１に開示された照明器具において、複数の小型の可視発光ダイオードを環状蛍光ランプの外周および内周に配置した場合、環状蛍光ランプの中央部に空隙が生ずる。
従って、照明器具の周囲と中央部とで、光色にむらを生じたり、明るさにむらを生じたりする虞がある。
【０００６】
加えて、近年、蛍光ランプとして渦巻型蛍光ランプを適用する傾向があり、渦巻型蛍光ランプの特性である外径の小型化を活用することについて必要性がでてきた。
【０００７】
本発明は、前述した課題を解決するためになされたものであり、その目的は、渦巻型蛍光ランプを適用して光色のむらおよび明るさのむらを生ずることなく調色を行うことができる照明器具を提供することにある。
【課題を解決するための手段】
【０００８】
本発明に係る照明器具は、器具本体と、前記器具本体に保持される蛍光ランプと、を備える照明器具であって、前記蛍光ランプが二重螺旋状渦巻型蛍光ランプであり、複数の可視発光ダイオードを前記蛍光ランプの外形に沿うように並べて配置したことを特徴とする。
【０００９】
本発明においては、二重螺旋状渦巻型蛍光ランプは面光源に近い特性を持っており、その螺旋の外形に沿うように複数の可視発光ダイオードを並べた。
これにより、可視発光ダイオードでも面光源に近い特性を達成することができる。
従って、二重螺旋状渦巻型蛍光ランプの光と複数の可視発光ダイオードの発光光とが均等に混ざり合うことにより、光色のむらおよび明るさのむらを生ずることなく調色を行うことができる。
【００１０】
本発明に係る照明器具は、上記照明器具において、前記複数の可視発光ダイオードは、前記蛍光ランプの中心から点対称に一方側と他方側とでそれぞれ異なる色の複数を前記蛍光ランプの外形に沿うように並べて配置したことを特徴とする。
【００１１】
本発明においては、二重螺旋状渦巻型蛍光ランプの中心から点対称に一方側と他方側とでそれぞれ異なる色の複数の可視発光ダイオードを、その螺旋の外形に沿うように並べた。そして、二重螺旋状渦巻型蛍光ランプの調光制御と２系統の可視発光ダイオードの調光制御とを独立して行う。
従って、二重螺旋状渦巻型蛍光ランプの光色と２系統の可視発光ダイオードの光色との調光割合を適宜変更することにより、色の表現力や色温度の制御範囲を拡大した調色や色制御を行って変化に富んだ光の演出を行うことができる。
【発明の効果】
【００１２】
本発明の照明器具によれば、器具本体と、器具本体に保持される蛍光ランプと、を備え、蛍光ランプが二重螺旋状渦巻型蛍光ランプであり、複数の可視発光ダイオードを蛍光ランプの外形に沿うように並べて配置した。
これにより、渦巻型蛍光ランプを適用して光色のむらおよび明るさのむらを生ずることなく調色を行うことができるという効果を有する。
【図面の簡単な説明】
【００１３】
【図１】本発明に係る第１実施形態の照明器具の垂直断面図
【図２】図１の照明器具の蛍光ランプ周りの底面図
【図３】図１の照明器具の回路構成図
【図４】本発明の第１実施形態に係る照明器具の第１変形例の蛍光ランプ周りの底面図
【図５】本発明に係る第２実施形態の照明器具の蛍光ランプ周りの底面図
【図６】本発明に係る第３実施形態の照明器具の蛍光ランプ周りの底面図
【図７】図６の照明器具の回路構成図
【発明を実施するための形態】
【００１４】
以下、本発明の複数の実施形態に係る照明器具について図面を参照して説明する。
【００１５】
（第１実施形態）
図１に示すように、本発明の第１実施形態である照明器具１０は、高周波専用の電子安定器である調色照明制御回路（点灯回路）１２を内蔵した器具本体１１と、蛍光ランプである二重螺旋状渦巻型蛍光ランプ１３と、二重螺旋状渦巻型蛍光ランプ１３の外形に沿うように並べて配置された複数の可視発光ダイオード（ＬＥＤ）１４と、二重螺旋状渦巻型蛍光ランプ１３を器具本体１１に保持するためのランプ保持部品１５と、二重螺旋状渦巻型蛍光ランプ１３に電気を供給するためのランプソケット１６と、器具本体１１の外周を３６０度囲う形状の外周支持枠１７と、外周支持枠１７に組み付けられて二重螺旋状渦巻型蛍光ランプ１３を覆い隠し可視発光ダイオード１４の発光光を拡散するための拡散カバーであるグローブ１８と、を備える。
【００１６】
照明器具１０は、器具本体１１の中央部に組み付けられている引掛シーリングと言われる省施工用部品２を介して天井面１に取り付けられる。
【００１７】
図２に示すように、二重螺旋状渦巻型蛍光ランプ１３は、発光管１９と、発光管１９の両端部に取り付けられた口金２０，２０とを備える管入力２５Ｗの渦巻形蛍光ランプである。
【００１８】
二重螺旋状渦巻型蛍光ランプ１３は口金２０，２０を通じて調色照明制御回路１２から電力を与えられて点灯する。二重螺旋状渦巻型蛍光ランプ１３は通常の環状ランプと比べて外径の小型化を図れる特性を有する。
【００１９】
二重螺旋状渦巻型蛍光ランプ１３は、例えば、電球色（Ｌ色）で発光する色温度が約３０００Ｋの低色温度光源である。二重螺旋状渦巻型蛍光ランプ１３の約３０００Ｋの色温度の光はやや赤味を帯びた白色光であって暖かさを感じさせる。
【００２０】
二重螺旋状渦巻型蛍光ランプ１３は、上記に代えて、昼光色（Ｄ色）で発光する色温度が約６５００Ｋの高色温度光源の渦巻型蛍光ランプを適用してもよい。その場合、二重螺旋状渦巻型蛍光ランプの約６５００Ｋの高色温度の光はやや青味を帯びた白色光であって涼しさを感じさせる。
【００２１】
可視発光ダイオード１４は、二重螺旋状渦巻型蛍光ランプ１３の発光管１９の外周および内周に二重螺旋状渦巻型蛍光ランプ１３の外形に沿って複数組み付けられている。そのため、二重螺旋状渦巻型蛍光ランプ１３の隣り合う発光管１９同士の隙間２１を埋めるように組み付けられている。
【００２２】
可視発光ダイオード１４は、器具本体１１に組み付けられた不図示の回路基板上に下方に照射方向を向けて直列にそれぞれ実装されている。
【００２３】
可視発光ダイオード１４の色は黄色が選ばれている。そのため、高色温度光源として機能する。可視発光ダイオード１４はＲＧＢのうちのいずれでも良い。
【００２４】
図３に示すように、調色照明制御回路１２は、色温度コントローラ２２と、制御ブロック２３と、二重螺旋状渦巻型蛍光ランプ１３の口金２０，２０にそれぞれ電気的に接続されたランプ用調光安定器２４と、可視発光ダイオード１４にそれぞれ電気的に接続されたＬＥＤ調光ブロック２５と、を備える。
【００２５】
色温度コントローラ２２は、色温度を調整するマンマシンI/Fであり、使用者により任意に選ばれた色温度情報信号を制御ブロック２３に与える。色温度コントローラ２２は例えば建物の壁面等に設置される。色温度コントローラ２２は通信手段を介して制御ブロック２３に色温度情報信号を無線で転送するようにしても良い。
【００２６】
制御ブロック２３は、色温度コントローラ２２から与えられた色温度情報信号に基づいて、二重螺旋状渦巻型蛍光ランプ１３および可視発光ダイオード１４からの色温度を黒体軌跡に沿って変化させるようにランプ用調光安定器２４およびＬＥＤ調光ブロック２５に調光信号を与える。
【００２７】
ランプ用調光安定器２４は制御ブロック２３から与えられた調光信号により二重螺旋状渦巻型蛍光ランプ１３に点灯・調光度合いを制御した電力を与える。
【００２８】
ＬＥＤ調光ブロック２５は制御ブロック２３から与えられた調光信号により可視発光ダイオード１４に点灯・調光度合いを定電流電源等により制御した電力を与える。
【００２９】
このような照明器具１０は、色温度コントローラ２２により任意に選ばれた色温度情報信号を制御ブロック２３に与える。
【００３０】
制御ブロック２３は色温度を黒体軌跡に沿って変化させるようにランプ用調光安定器２４およびＬＥＤ調光ブロック２５に調光信号をそれぞれ与える。
【００３１】
ランプ用調光安定器２４は制御ブロック２３から与えられた調光信号に基づいて点灯・調光度合いを制御した電力を二重螺旋状渦巻型蛍光ランプ１３に供給する。
【００３２】
ＬＥＤ調光ブロック２５は制御ブロック２３から与えられた調光信号に基づいて点灯・調光度合いを制御した電力を可視発光ダイオード１４に供給する。
【００３３】
これにより、二重螺旋状渦巻型蛍光ランプ１３からの低色温度光源の光と、複数の可視発光ダイオード１４からの高色温度光源の発光光と、が均等に混ざり合ってグローブ１８により拡散されて下方を照射することになる。
【００３４】
第１実施形態の照明器具１０では、二重螺旋状渦巻型蛍光ランプ１３は面光源に近い特性を持っており、その螺旋の外形に沿うように複数の可視発光ダイオード１４を並べた。
これにより、可視発光ダイオード１４でも面光源に近い特性を達成することができる。
従って、二重螺旋状渦巻型蛍光ランプ１３からの低色温度光源の光と複数の可視発光ダイオード１４からの高色温度光源の発光光とが均等に混ざり合うことにより、光色のむらおよび明るさのむらを生ずることなく調色を行うことができる。
【００３５】
図４に示すように、第１実施形態に係る照明器具１０の第１変形例では、低色温度光源として機能する青色の色に選ばれた可視発光ダイオード２６が適用されている。
【００３６】
第１変形例では、二重螺旋状渦巻型蛍光ランプ１３からの低色温度光源の光と複数の可視発光ダイオード２６からの低色温度光源の発光光とが均等に混ざり合うことにより、光色のむらおよび明るさのむらを生ずることなく調色を行うことができる。
【００３７】
（第２実施形態）
次に、本発明の第２実施形態の照明器具について説明する。なお、以下の各実施形態において、上述した第１実施形態と重複する構成要素や機能的に同様な構成要素については、図中に同一符号あるいは相当符号を付することによって説明を簡略化あるいは省略する。
【００３８】
図５に示すように、本発明の第２実施形態の照明器具３０は、二重螺旋状渦巻型蛍光ランプ１３の口金２０，２０の外側に複数の可視発光ダイオード３１を組み付けている。
【００３９】
第２実施形態の照明器具３０では、二重螺旋状渦巻型蛍光ランプ１３の陰のできやすい口金２０，２０部分に複数の可視発光ダイオード３１を組み付けることにより、陰を発生し難くすることができる。
【００４０】
（第３実施形態）
次に、本発明の第３実施形態の照明器具について説明する。
【００４１】
図６に示すように、本発明の第３実施形態の照明器具４０は、二重螺旋状渦巻型蛍光ランプ１３の中心から点対称に、一方側である発光管１９の外周側に複数の黄色可視発光ダイオード４１と、他方側である発光管１９の内周側に複数の青色可視発光ダイオード４２とを、発光管１９の外形に沿うようにそれぞれ並べて配置した。
【００４２】
黄色可視発光ダイオード４１は高色温度光源として機能する。青色可視発光ダイオード４２は低色温度光源として機能する。
【００４３】
図７に示すように、調色照明制御回路１２は、色温度コントローラ２２と、制御ブロック２３と、二重螺旋状渦巻型蛍光ランプ１３の口金２０，２０にそれぞれ電気的に接続されたランプ用調光安定器２４と、黄色可視発光ダイオード４１にそれぞれ電気的に接続された黄色ＬＥＤ調光ブロック４３と、青色可視発光ダイオード４２にそれぞれ電気的に接続された青色ＬＥＤ調光ブロック４４と、を備える。
【００４４】
このような照明器具４０は、色温度コントローラ２２により任意に選ばれた色温度情報信号を制御ブロック２３に与える。
【００４５】
制御ブロック２３は色温度を黒体軌跡に沿って変化させるようにランプ用調光安定器２４および両ＬＥＤ調光ブロック４３，４４に調光信号をそれぞれ与える。
【００４６】
ランプ用調光安定器２４は制御ブロック２３から与えられた調光信号に基づいて点灯・調光度合いを制御した電力を二重螺旋状渦巻型蛍光ランプ１３に供給する。
【００４７】
黄色ＬＥＤ調光ブロック４３は制御ブロック２３から与えられた調光信号に基づいて点灯・調光度合いを制御した電力を黄色可視発光ダイオード４１に供給する。
【００４８】
青色ＬＥＤ調光ブロック４４は制御ブロック２３から与えられた調光信号に基づいて点灯・調光度合いを制御した電力を青色可視発光ダイオード４２に供給する。
【００４９】
これにより、二重螺旋状渦巻型蛍光ランプ１３からの低色温度光源の光の調光制御と、２系統で異なる、黄色可視発光ダイオード４１からの高色温度光源の光と青色可視発光ダイオード４２からの低色温度光源の光との調光制御とが独立して行われる。
【００５０】
第３実施形態の照明器具４０では、二重螺旋状渦巻型蛍光ランプ１３の中心から点対称に一方側と他方側とでそれぞれ異なる色の複数の黄色可視発光ダイオード４１および青色可視発光ダイオード４２を、その螺旋の外形に沿うように並べた。そして、二重螺旋状渦巻型蛍光ランプ１３の調光制御と２系統の可視発光ダイオード４１，４２の調光制御とを独立して行う。
従って、二重螺旋状渦巻型蛍光ランプ１３の光色と２系統の可視発光ダイオード４１，４２の光色との調光割合を適宜変更することにより、色の表現力や色温度の制御範囲を拡大した調色や色制御を行って変化に富んだ光の演出を行うことができる。
【００５１】
なお、前記各実施形態で使用した器具本体１１、ランプ保持部品１５、ランプソケット１６、外周支持枠１７、グローブ１８等は例示したものに限定するものではなく適宜変更が可能である。
【符号の説明】
【００５２】
１０、３０、４０  照明器具
１１  器具本体
１３  二重螺旋状渦巻型蛍光ランプ（蛍光ランプ）
１４、２６、３１、４１、４２  可視発光ダイオード（ＬＥＤ）
【図１】
2010186709.tif 000003
【図２】
2010186709.tif 000004
【図３】
2010186709.tif 000005
【図４】
2010186709.tif 000006
【図５】
2010186709.tif 000007
【図６】
2010186709.tif 000008
【図７】
2010186709.tif 000009